(57)【要約】【課題】立位での放射線撮影や横臥での放射線撮影で使用される場合でも、表示される表示内容を確認しやすい可搬型放射線画像形成装置を提供する。【解決手段】筐体７０の向きを検出し、検出した筐体７０の向きに応じて、確認が容易な方向へ表示方向を変えて、筐体７０に取付けられた表示部１２０により情報が表示されるように制御する。【選択図】図８
2010051559.tif 000002
【特許請求の範囲】
【請求項１】
被写体を透過して筐体の被照射面に照射された放射線を検出し、照射放射線量の分布を表す放射線画像のデータを出力する画像出力手段と、
前記画像出力手段から出力された放射線画像のデータを記憶する記憶手段と、
前記筐体に取付けられた表示手段と、
前記筐体の向きを検出する筐体向き検出手段と、
前記筐体向き検出手段によって検出された前記筐体の向きに応じて、確認が容易な方向へ表示方向を変えて前記表示手段により情報が表示されるように制御する表示制御手段と、
を含む可搬型放射線画像形成装置。
【請求項２】
前記表示手段は、表示面が前記筐体外へ引き出し可能とされた
請求項１記載の可搬型放射線画像形成装置。
【請求項３】
前記表示制御手段は、前記筐体向き検出手段によって検出された筐体の向きが、水平面に対する前記表示手段の表示面の角度が所定角度以上となる向きである場合は、前記表示面の上下方向を情報の上下方向として前記表示手段の表示面に情報が表示されるように制御する
請求項２記載の可搬型放射線画像形成装置。
【請求項４】
前記表示制御手段は、前記筐体向き検出手段によって検出された筐体の向きが、水平面に対する前記表示手段の表示面の角度が所定角度未満となる向きである場合は、前記表示手段の表示面の前記筐体からの引き出し方向又はその反対方向を情報の上下方向として前記表示手段の表示面に情報が表示されるように制御する
請求項２又は請求項３記載の可搬型放射線画像形成装置。
【請求項５】
前記筐体外への前記表示面の引き出し量を検出する引き出し量検出手段を更に備え、
前記表示制御手段は、前記引き出し量検出手段によって検出された引き出し量の変化に応じて前記表示手段の表示面に表示させる情報の内容を切替える
請求項２〜請求項４の何れか１項記載の可搬型放射線画像形成装置。
【請求項６】
前記表示制御手段は、前記引き出し量検出手段によって検出された引き出し量が所定値未満の場合には前記表示手段の表示面に文字情報を表示させ、前記引き出し量検出手段によって検出された引き出し量が所定値以上の場合には前記記憶手段にデータが記憶されている放射線画像を前記表示手段の表示面に表示させる
請求項５記載の可搬型放射線画像形成装置。
【請求項７】
前記記憶手段には、過去の撮影で得られた放射線画像のデータが記憶されており、
前記表示制御手段は、前記放射線画像として、前記記憶手段に記憶されている過去の放射線画像を前記表示手段の表示面に表示させる
請求項６記載の可搬型放射線画像形成装置。
【請求項８】
撮影が行われたか否かを検知する撮影検知手段を更に備え、
前記表示制御手段は、前記撮影検知手段によって撮影が行われたことが検知される迄の間は、前記放射線画像として、前記記憶手段に記憶されている過去の放射線画像を前記表示手段の表示面に表示させ、前記撮影検知手段によって撮影が行われたことが検知された後は、前記放射線画像として、今回の撮影で得られた放射線画像を前記表示手段の表示面に表示させる
請求項７記載の可搬型放射線画像形成装置。
【請求項９】
前記表示手段を、表示対象の情報を投影表示する投影デバイスとした
請求項１記載の可搬型放射線画像形成装置。
【請求項１０】
前記記憶手段には、前記被写体の属性を表す属性情報及び撮影条件を表す撮影条件情報の少なくとも一方が記憶されており、
前記表示制御手段は、前記属性情報及び前記撮影条件情報のうち前記記憶手段に記憶されている情報を前記表示手段の表示面に文字情報として表示させる
請求項１〜請求項９の何れか１項記載の可搬型放射線画像形成装置。
【請求項１１】
前記筐体のうち前記被照射面と反対側の面に表示面が設けられた裏面表示手段と、
撮影が行われたか否かを検知する撮影検知手段と、
前記筐体に加わる振動を検出する振動検出手段と、
を更に備え、
前記表示制御手段は、前記撮影検知手段によって撮影が行われたことが検知された後に、前記振動検出手段によって前記筐体に振動が加わったことが検出された場合に、今回の撮影で得られた放射線画像を前記裏面表示手段の表示面に表示させる
請求項１〜請求項１０の何れか１項記載の可搬型放射線画像形成装置。
【発明の詳細な説明】
【技術分野】
【０００１】
本発明は可搬型放射線画像形成装置に係り、特に、被写体を透過して筐体の被照射面に照射された放射線を検出し、照射放射線量の分布を表す放射線画像のデータを出力する画像出力手段を備えた可搬型放射線画像形成装置に関する。
【背景技術】
【０００２】
近年、ＴＦＴ(Thin Film Transistor)アクティブマトリクス基板上に放射線感応層を配置し、照射されたＸ線等の放射線を検出し、照射放射線量の分布を表す放射線画像のデータへ直接変換して出力するＦＰＤ(Flat Panel Detector)が実用化されており、このＦＰＤ等を内蔵し、ＦＰＤから出力される放射線画像データを記憶する可搬型放射線画像形成装置（以下、電子カセッテともいう）も実用化されている。電子カセッテは可搬性を有するのでストレッチャーやベッドに載せたまま患者を撮影できると共に、電子カセッテの位置を変更することで撮影部位の調整も容易であるため、動けない患者を撮影する場合にも柔軟に対処することができる。
【０００３】
最近、電子カセッテに、撮影した放射線画像をその場で確認可能な表示部を付加することが提案されており、例えば特許文献１には、患者を透過した放射線を検出する検出器を有する放射線検出用カセッテの背面側に、液晶パネル等の表示装置を配置した構成が開示されている。
【０００４】
また特許文献２には、収納部に収納される表示部を有する表示装置であって、表示部の収納部からの引き出し量を検出し、検出された引き出し量に応じて、画像を表示部に表示するための表示形態を決定する技術が開示されている。
【特許文献１】特開２０００−２６２５０４号公報
【特許文献２】特開２００５−２１５３２０号公報
【発明の開示】
【発明が解決しようとする課題】
【０００５】
ところで、電子カセッテは、可搬性を有するため、立位での放射線撮影を行う撮影装置や横臥での放射線撮影を行う撮影装置で共用して使用される場合がある。
【０００６】
しかしながら、特許文献１や特許文献２のように電子カセッテに情報を表示する表示部を設け、立位で使用される場合と横臥で使用される場合で当該表示部に情報を同じように表示した場合、表示内容を確認しづらい場合がある、という問題点があった。
【０００７】
本発明は上記問題点を解決するためになされたものであり、立位での放射線撮影や横臥での放射線撮影で使用される場合でも、表示される表示内容を確認しやすい可搬型放射線画像形成装置を提供することを目的とする。
【課題を解決するための手段】
【０００８】
上記目的を達成するために請求項１記載の発明に係る可搬型放射線画像形成装置は、被写体を透過して筐体の被照射面に照射された放射線を検出し、照射放射線量の分布を表す放射線画像のデータを出力する画像出力手段と、前記画像出力手段から出力された放射線画像のデータを記憶する記憶手段と、前記筐体に取付けられた表示手段と、前記筐体の向きを検出する筐体向き検出手段と、前記筐体向き検出手段によって検出された前記筐体の向きに応じて、確認が容易な方向へ表示方向を変えて前記表示手段により情報が表示されるように制御する表示制御手段と、を含んでいる。
【０００９】
請求項１記載の発明によれば、画像出力手段により、被写体を透過して筐体の被照射面に照射された放射線を検出し、照射放射線量の分布を表す放射線画像のデータが出力され、記憶手段により、画像出力手段から出力された放射線画像のデータが記憶される。
【００１０】
また、本発明によれば、筐体向き検出手段により、筐体の向きが検出され、表示制御手段により、筐体向き検出手段によって検出された前記筐体の向きに応じて、確認が容易な方向へ表示方向を変えて、筐体に取付けられた表示手段により情報が表示されるように制御される。
【００１１】
このように、請求項１記載の発明では、筐体の向きを検出し、検出した筐体の向きに応じて、確認が容易な方向へ表示方向を変えて、筐体に取付けられた表示手段により情報が表示されるので、立位での放射線撮影や横臥での放射線撮影で使用される場合でも、表示される表示内容を確認しやすい。
【００１２】
なお、請求項１記載の発明の表示手段は、請求項２記載のように、表示面が前記筐体外へ引き出し可能とされてもよい。
【００１３】
また、請求項２記載の発明の表示制御手段は、請求項３記載のように、前記筐体向き検出手段によって検出された筐体の向きが、水平面に対する前記表示手段の表示面の角度が所定角度以上となる向きである場合は、前記表示面の上下方向を情報の上下方向として前記表示手段の表示面に情報が表示されるように制御してもよい。
【００１４】
また、請求項２又は請求項３記載の発明の表示制御手段は、請求項４記載のように、前記筐体向き検出手段によって検出された筐体の向きが、水平面に対する前記表示手段の表示面の角度が所定角度未満となる向きである場合は、前記表示手段の表示面の前記筐体からの引き出し方向又はその反対方向を情報の上下方向として前記表示手段の表示面に情報が表示されるように制御してもよい。
【００１５】
また、請求項２〜請求項４記載の発明は、請求項５記載のように、前記筐体外への前記表示面の引き出し量を検出する引き出し量検出手段を更に備え、前記表示制御手段が、前記引き出し量検出手段によって検出された引き出し量の変化に応じて前記表示手段の表示面に表示させる情報の内容を切替えてもよい。
【００１６】
また、請求項５記載の発明の表示制御手段は、請求項６記載のように、前記引き出し量検出手段によって検出された引き出し量が所定値未満の場合には前記表示手段の表示面に文字情報を表示させ、前記引き出し量検出手段によって検出された引き出し量が所定値以上の場合には前記記憶手段にデータが記憶されている放射線画像を前記表示手段の表示面に表示させてもよい。
【００１７】
また、請求項６記載の発明は、請求項７記載のように、前記記憶手段には、過去の撮影で得られた放射線画像のデータが記憶されており、前記表示制御手段が、前記放射線画像として、前記記憶手段に記憶されている過去の放射線画像を前記表示手段の表示面に表示させてもよい。
【００１８】
また、請求項７記載の発明は、請求項８記載のように、撮影が行われたか否かを検知する撮影検知手段を更に備え、前記表示制御手段が、前記撮影検知手段によって撮影が行われたことが検知される迄の間は、前記放射線画像として、前記記憶手段に記憶されている過去の放射線画像を前記表示手段の表示面に表示させ、前記撮影検知手段によって撮影が行われたことが検知された後は、前記放射線画像として、今回の撮影で得られた放射線画像を前記表示手段の表示面に表示させてもよい。
【００１９】
また、請求項１記載の発明は、請求項９記載のように、表示手段を、表示対象の情報を投影表示する投影デバイスとしてもよい。
【００２０】
また、本発明は、請求項１０記載のように、前記記憶手段には、前記被写体の属性を表す属性情報及び撮影条件を表す撮影条件情報の少なくとも一方が記憶されており、前記表示制御手段が、前記属性情報及び前記撮影条件情報のうち前記記憶手段に記憶されている情報を前記表示手段の表示面に文字情報として表示させてもよい。
【００２１】
また、本発明は、請求項１１記載のように、前記筐体のうち前記被照射面と反対側の面に表示面が設けられた裏面表示手段と、撮影が行われたか否かを検知する撮影検知手段と、前記筐体に加わる振動を検出する振動検出手段と、を更に備え、前記表示制御手段が、前記撮影検知手段によって撮影が行われたことが検知された後に、前記振動検出手段によって前記筐体に振動が加わったことが検出された場合に、今回の撮影で得られた放射線画像を前記裏面表示手段の表示面に表示させてもよい。
【発明の効果】
【００２２】
以上説明したように本発明は、筐体の向きを検出し、検出した筐体の向きに応じて、確認が容易な方向へ表示方向を変えて、筐体に取付けられた表示手段により情報が表示されるので、立位での放射線撮影や横臥での放射線撮影で使用される場合でも、表示される表示内容を確認しやすい、という優れた効果を有する。
【発明を実施するための最良の形態】
【００２３】
以下、図面を参照して本発明の実施形態の一例を詳細に説明する。
【００２４】
〔第１実施形態〕
図１には本実施形態に係る放射線情報システム１０(以下、「ＲＩＳ１０」(ＲＩＳ：(Radiology Information System)という)が示されている。ＲＩＳ１０は病院内の放射線科部門における診療予約や診断記録等の情報管理を行うためのシステムであり、複数台の端末装置１２、ＲＩＳサーバ１４、病院内の個々の放射線撮影室（或いは手術室）に設置された放射線画像撮影システム１８（のコンソール２６）が、有線又は無線のＬＡＮ(Local Area Network)から成る病院内ネットワーク１６に各々接続されて構成されている。なお、ＲＩＳ１０は同じ病院内に設けられた病院情報システム(ＨＩＳ：Hospital Information System)の一部を構成しており、病院内ネットワーク１６にはＨＩＳ全体を管理するＨＩＳサーバ（図示省略）も接続されている。
【００２５】
個々の端末装置１２はパーソナル・コンピュータ(ＰＣ)等で構成され、医師や放射線技師によって操作される。医師や放射線技師は端末装置１２を介して診断情報や施設予約の入力・閲覧を行い、放射線画像の撮影依頼（撮影予約）も端末装置１２を介して入力される。また、ＲＩＳサーバ１４はＲＩＳデータベース（ＤＢ）を記憶する記憶部１４Ａを含んで構成されたコンピュータであり、ＲＩＳデータベースには、患者の属性情報（例えば患者の氏名、性別、生年月日、年齢、血液型、患者ＩＤ等）や、病歴、受診歴、過去に撮影した放射線画像のデータ等の患者に関する他の情報、個々の放射線画像撮影システム１８の電子カセッテ２２（後述）に関する情報（例えば識別番号、型式、サイズ、感度、使用可能な撮影部位（対応可能な撮影依頼の内容）、使用開始年月日、使用回数等）が登録されている。ＲＩＳサーバ１４はＲＩＳデータベースに登録されている情報に基づいて、ＲＩＳ１０全体を管理する処理（例えば各端末装置１２からの撮影依頼を受け付け、個々の放射線画像撮影システム１８における放射線画像の撮影スケジュールを管理する処理）を行う。
【００２６】
個々の放射線画像撮影システム１８は、ＲＩＳサーバ１４から指示された放射線画像の撮影を、医師や放射線技師の操作に従って行うシステムであり、患者（被写体）に照射する放射線を発生させる放射線発生装置２０、患者を透過した放射線を検出し放射線画像データに変換・出力する放射線検出器を内蔵した電子カセッテ２２、電子カセッテ２２に内蔵されるバッテリ１１６（図２参照）を充電するクレードル２４、及び、上記各機器の動作を制御するコンソール２６を各々備えている。図２に示すように、放射線画像撮影システム１８には無線ネットワーク２８が設けられており、同一の放射線画像撮影システム１８を構成する放射線発生装置２０、電子カセッテ２２、クレードル２４及びコンソール２６は、無線ネットワーク２８経由での無線通信により各種の信号や情報の送受を行う。なお、電子カセッテ２２は本発明に係る可搬型放射線画像形成装置に対応している。
【００２７】
放射線発生装置２０は、放射線管を内蔵し当該放射線管によって放射線を発生する放射線源３０を備え、放射線源３０は線源制御部３２に接続され、線源制御部３２には曝射スイッチ３４、無線通信部３６及び線源移動部３８が各々接続されている。曝射スイッチ３４は放射線撮影の実行時に撮影者（放射線技師）によって押圧操作される。また、無線通信部３６には無線アンテナ４０が接続されており、無線通信部３６は無線アンテナ４０を介し、同一の放射線画像撮影システム１８を構成する他の機器と無線ネットワーク２８経由で無線通信を行う。
【００２８】
放射線発生装置２０は、放射線撮影を行う際に、これから行う放射線撮影における撮影条件を表す撮影条件情報をコンソール２６から受信し、受信した撮影条件情報は無線通信部３６から線源制御部３２へ入力される。コンソール２６から受信する撮影条件情報には、放射線管の管電圧や管電流、照射時間等の放射線管の駆動条件を表す情報が含まれており、線源制御部３２は、曝射スイッチ３４が押圧操作されると、放射線源３０の放射線管が上記の駆動条件に従って駆動されるように放射線源３０を制御する。これにより、放射線源３０からは上記の駆動条件に応じた適正線量の放射線が発生・射出される。
【００２９】
また図３に示すように、放射線源３０が配置される放射線撮影室４２には、立位での放射線撮影を行う際に電子カセッテ２２を保持するためのラック４４と、臥位での放射線撮影を行う際に患者が横臥するためのベッド４６が設置されており、ラック４４の前方空間は立位での放射線撮影を行う際の患者の撮影位置４８とされ、ベッド４６の上方空間は臥位での放射線撮影を行う際の患者の撮影位置５０とされている。放射線撮影室４２には、単一の放射線源３０からの放射線によって立位での放射線撮影も臥位での放射線撮影も可能とするために、放射線源３０を、水平な軸回り（図３の矢印Ａ方向）に回動可能で、鉛直方向（図３の矢印Ｂ方向）に移動可能で、かつ水平方向（図３の矢印Ｃ方向）に移動可能に支持する支持移動機構５２が設けられている。
【００３０】
線源移動部３８は、放射線源３０を水平な軸回りに回動させる駆動源と、放射線源３０を鉛直方向に移動させる駆動源と、放射線源３０を水平方向に移動させる駆動源を各々備えている（何れも図示省略）。一方、コンソール２６から受信する撮影条件情報には撮影時姿勢が立位か臥位かを表す情報が含まれており、線源制御部３２は、受信した撮影条件情報で指定された撮影時姿勢が立位であれば、放射線源３０が立位撮影用の位置５４（射出した放射線が撮影位置４８に位置している患者に側方から照射される位置）に位置するように線源移動部３８を制御し、受信した撮影条件情報で指定された撮影時姿勢が臥位であれば、放射線源３０が臥位撮影用の位置５６（射出した放射線が撮影位置５０に位置している患者に上方から照射される位置）に位置するように線源移動部３８を制御する。
【００３１】
なお電子カセッテ２２は、放射線技師により、撮影時姿勢が立位であればラック４４に保持される位置５８へ移動・位置決めされ、撮影時姿勢が臥位であればベッド４６上の位置６０へ移動・位置決めされる。なお、電子カセッテ２２の詳細については後述する。
【００３２】
図２に示すように、クレードル２４はクレードル２４全体の動作を制御するクレードル制御部６２を備えており、クレードル制御部６２には電力供給部６３及び無線通信部６４が各々接続されている。図３に示すように、クレードル２４の筐体は電子カセッテ２２を挿入可能な凹部が設けられた形状とされ、電力供給部６３は、クレードル２４の筐体の凹部に電子カセッテ２２が挿入されている状態で、電子カセッテ２２のバッテリ１１６に電力を供給することでバッテリ１１６を充電する。また、無線通信部６４には無線アンテナ６５が接続されており、無線通信部６４は無線アンテナ６５を介し、同一の放射線画像撮影システム１８を構成する他の機器と無線ネットワーク２８経由で無線通信を行う。
【００３３】
なお、本実施形態では後述のように、放射線撮影が行われることで電子カセッテ２２で生成された放射線画像データが、無線ネットワーク２８経由で電子カセッテ２２からコンソール２６へ直接送信される態様を説明しているが、これに限られるものではなく、クレードル２４の筐体の凹部に電子カセッテ２２が挿入されている状態で、例えばレーザ光等を用いた通信を行う機能を電子カセッテ２２及びクレードル２４に各々設けると共に、クレードル２４を、前記状態で電子カセッテ２２から前述の通信機能により放射線画像データを受信してメモリ等に一時記憶し、一時記憶した放射線画像データを適当なタイミングでコンソール２６へ送信するように構成してもよい。
【００３４】
またコンソール２６には、ＰＣ等で構成され、ＣＰＵ６６Ａ、ＲＯＭ及びＲＡＭを含むメモリ６６Ｂ、ＨＤＤ(Hard Disk Drive)やフラッシュメモリ等から成る不揮発性の記憶部６６Ｃを備えたシステム制御部６６が設けられており、このシステム制御部６６には、ＬＣＤ(Liquid Crystal Display)等から成るディスプレイ６７、キードードやマウス等から成る入力部６８、病院内ネットワーク１６(図１参照)との通信を司る通信Ｉ／Ｆ（インタフェース）部６９、及び、無線通信部５９が各々接続されている。無線通信部５９には無線アンテナ６１が接続されており、無線通信部５９は無線アンテナ６１を介し、同一の放射線画像撮影システム１８を構成する他の機器と無線ネットワーク２８経由で無線通信を行う。
【００３５】
続いて本第１実施形態に係る電子カセッテ２２について説明する。図４に示すように、電子カセッテ２２は、放射線（図４では放射線に"Ｘ"の符号を付して示す）を透過させる材料から成り厚みを有する平板状(扁平な箱形状)の筐体(ケーシング)７０によって覆われており、筐体７０の内部には、筐体７０のうち放射線が照射される被照射面７２側から順に、被写体を透過することに伴って生ずる放射線の散乱線を除去するグリッド７４、放射線を検出する放射線検出器(放射線検出パネル)７６、及び、鉛シート７８が配設されている。なお、筐体７０の被照射面７２をグリッド７４で構成してもよい。また、筐体７０の内部の一端側には、後述する各種回路を収容するケース８２が配置されている。ケース８２内部に収容された各種回路が放射線の照射に伴って損傷することを回避するため、ケース８２の被照射面７２側には鉛シート等を配設しておくことが望ましい。なお、放射線検出器７６は後述する信号処理部１０２と共に本発明に係る画像出力手段に対応している。
【００３６】
また、本第１実施形態に係る電子カセッテ２２の筐体７０内には、被照射面７２側から見て鉛シート７８の背面側に、画像等を表示可能な表示デバイスを備えた表示部１２０を収納するための収納スペース（以下、この収納スペースを収納部１２２(図５(Ｂ)参照)と称する）が設けられている。図５,６に示すように、本第１実施形態に係る表示部１２０は、全体として厚みを有する長方形状とされており、収納部１２２は表示部１２０全体を収納可能な形状・大きさとされている。表示部１２０は、長方形状で対向する２面のうちの一方の面が、表示デバイスによって画像等を表示可能な表示領域が設けられた表示面とされており、被照射面７２側が上方を向くように電子カセッテ２２の筐体７０が配置された状態で、表示面が上方を向く向きで収納部１２２内に収納されている。なお、本第１実施形態では、表示面に設けられた表示領域の形状が長方形状であるので、上記の表示デバイスとしてはＬＣＤが好適であるが、ＬＣＤ以外の表示デバイスを用いてもよい。
【００３７】
また、図５,６に示すように、電子カセッテ２２の筐体７０のうち、被照射面７２と接する側面には、電子カセッテ２２（筐体７０）を移動させる際に把持するための取っ手部１２４が取付けられており、筐体７０のうち取っ手部１２４が取付けられている特定の側面には、表示部１２０が通過可能な扁平な矩形状の開口１２６が設けられている。収納部１２２はこの開口を介して筐体７０外と連通しており、表示部１２０は収納部１２２内をに挿入されている。表示部１２０は、表示部１２０を筐体７０の収納部１２２内から引き出す方向（図６の矢印Ｄ方向）へスライド移動(摺動移動)させる展開操作が行われることで、筐体７０外のうち取っ手部が設けられている側へ表示面が展開し、表示部１２０の大部分が筐体７０外に露出している状態(図６(Ｃ)に示す状態)となる。以下、この状態での表示部１２０の位置を表示可能位置という。また表示部１２０は、表示可能位置に位置している状態から、表示部１２０を筐体７０の収納部１２２内へ挿入する方向（図６の矢印Ｅ方向）へスライド移動させる収納操作が行われることで、表示部１２０全体が収納部１２２内に収納されている状態(図５(Ａ),図６(Ａ)に示す状態)となる。以下、この状態での表示部１２０の位置を収納位置という。
【００３８】
また、表示部１２０全体が収納部１２２内に収納されている状態(図５(Ａ),図６(Ａ)に示す状態)で開口１２６を閉塞する表示部１２０の側面には、一対の把持部１２８が取付けられており、表示部１２０は、一対の把持部１２８を把持した撮影者（放射線技師）によって前述の収納操作又は展開操作が行われることで、上記の収納位置又は表示可能位置へスライド移動される。なお、表示部１２０のうち把持部１２８が取付けられている側と反対側の端部付近には、収納部１２２から引き出す方向への表示部１２０のスライド移動を表示可能位置迄に制限する図示しないストッパが取付けられている。このストッパにより、表示部１２０全体が収納部１２２から離脱する（表示部１２０が電子カセッテ２２の筐体７０と分離する）ことが阻止される。このように、表示部１２０は表示面の収納が可能に筐体７０に取付けられている。
【００３９】
また図５に示すように、表示部１２０の背面（被照射面７２側と反対側の面）には鉛シート１３０が貼付されている。鉛シート７８によって放射線のバック散乱を吸収低減することができ、更に、収納部１２２に収納されている状態の表示部１２０の放射線劣化も抑制することができる。鉛シート１３０は鉛シート７８による放射線のバック散乱の吸収低減を補助する目的で設けられており、鉛シート７８としては例えば鉛の厚みが0.5mm以上の鉛シート、鉛シート１３０としては例えば鉛の厚みが0.2mm程度の鉛シートが好適である。なお、表示部１２０は本発明に係る表示手段に対応している。
【００４０】
電子カセッテ２２の放射線検出器７６は、図２に示すＴＦＴアクティブマトリクス基板８６上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。なお、放射線検出器７６は、上記のようにアモルファスセレン等の放射線−電荷変換材料を用いて放射線を電荷へ直接変換する構成に限られるものではなく、ガドリニウム硫酸化物(ＧＯＳ)やヨウ化セシウム(ＣｓＩ)等の蛍光体材料によって放射線−光変換を行い、フォトダイオード等の光電変換素子によって光−電荷変換を行うことで、放射線を間接的に電荷へ変換する構成を採用してもよい。
【００４１】
ＴＦＴアクティブマトリクス基板８６上には、光電変換層で発生された電荷を蓄積する蓄積容量８８と、蓄積容量８８に蓄積された電荷を読み出すためのＴＦＴ９０を備えた画素部９４（図２では個々の画素部９４に対応する光電変換層を光電変換部９２として模式的に示している）がマトリクス状に多数個配置されており、電子カセッテ２２への放射線の照射に伴って光電変換層で発生された電荷は、個々の画素部９４の蓄積容量８８に蓄積される。これにより、電子カセッテ２２に照射された放射線に担持されていた画像情報は電荷情報へ変換されて放射線検出器７６に保持される。
【００４２】
また、ＴＦＴアクティブマトリクス基板８６には、一定方向（行方向）に延設され個々の画素部９４のＴＦＴ９０をオンオフさせるための複数本のゲート配線９６と、ゲート配線９６と直交する方向（列方向）に延設されオンされたＴＦＴ９０を介して蓄積容量８８から蓄積電荷を読み出すための複数本のデータ配線９８が設けられている。個々のゲート配線９６はゲート線ドライバ１００に接続されており、個々のデータ配線９８は信号処理部１０２に接続されている。個々の画素部９４の蓄積容量８８に電荷が蓄積されると、個々の画素部９４のＴＦＴ９０は、ゲート線ドライバ１００からゲート配線９６を介して供給される信号により行単位で順にオンされ、ＴＦＴ９０がオンされた画素部９４の蓄積容量８８に蓄積されている電荷は、電荷信号としてデータ配線９８を伝送されて信号処理部１０２に入力される。従って、個々の画素部９４の蓄積容量８８に蓄積されている電荷は行単位で順に読み出される。
【００４３】
図示は省略するが、信号処理部１０２は、個々のデータ配線９８毎に設けられた増幅器及びサンプルホールド回路を備えており、個々のデータ配線９８を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部１０２には画像メモリ１０４が接続されており、信号処理部１０２のＡ／Ｄ変換器から出力された画像データは画像メモリ１０４に順に記憶される。画像メモリ１０４は複数フレーム分の画像データを記憶可能な記憶容量を有しており、放射線画像の撮影が行われる毎に、撮影によって得られた画像データが画像メモリ１０４に順次記憶される。なお、画像メモリ１０４は本発明に係る記憶手段に対応している。
【００４４】
また、画像メモリ１０４にはカセッテ制御部１０６が接続されている。カセッテ制御部１０６はマイクロコンピュータ等から成り、ＣＰＵ１０６Ａ、ＲＯＭ及びＲＡＭを含むメモリ１０６Ｂ、ＨＤＤやフラッシュメモリ等から成る不揮発性の記憶部１０６Ｃを備えており、後述する情報表示処理を行うための情報表示プログラムは記憶部１０６Ｃに記憶されている。また、図示は省略するが、カセッテ制御部１０６は前述したゲート線ドライバ１００及び信号処理部１０２に接続されており、ゲート線ドライバ１００及び信号処理部１０２による個々の画素部９４からの電荷の読み出しを制御する。更に、カセッテ制御部１０６には表示部１２０、入力部１０８、引出センサ１１０、無線通信部１１２、重力センサ１１１が各々接続されている。
【００４５】
カセッテ制御部１０６は後述する情報表示処理を行うことで、画像メモリ１０４に記憶されている画像データが表す放射線画像等の情報を表示部１２０に表示させる。このように、カセッテ制御部１０６は本発明に係る表示制御手段に対応している。また、本実施形態において、入力部１０８は表示部１２０の表示面に設けられたタッチパネルから成り、撮影者によって入力部１０８（タッチパネル）が操作されることで、当該操作に応じた情報がカセッテ制御部１０６に入力される。また、引出センサ１１０は収納部１２２内から表示部１２０が引き出された引出量を検出するセンサである。本実施形態において、引出センサ１１０は収納部１２２内の表示部１２０がスライド移動する範囲に例えば均等な間隔で複数けられており、引出センサ１１０による検出結果はカセッテ制御部１０６に入力される。カセッテ制御部１０６は引出センサ１１０による検出結果に基づいて収納部１２２内から表示部１２０が引き出された引出量を検出する。また、無線通信部１１２には無線アンテナ１１４が接続されており、無線通信部１１２は無線アンテナ１１４を介し、同一の放射線画像撮影システム１８を構成する他の機器と無線ネットワーク２８経由で無線通信を行う。なお、無線通信部１１２による他の機器との無線通信は、電波による通常の無線通信に代えて、赤外線等を用いた光無線通信であってもよい。また、重力センサ１１１は、重力方向を検出するセンサであり、重力センサ１１１による検出結果もカセッテ制御部１０６に入力される。カセッテ制御部１０６は重力センサ１１１による検出結果に基づいて電子カセッテ２２の筐体の向きを検出することにより、水平面に対する電子カセッテ２２の表示部１２０の成す角度を検出している。
【００４６】
また、電子カセッテ２２はバッテリ１１６を内蔵しており、上述した各種回路(ゲート線ドライバ１００、信号処理部１０２、画像メモリ１０４、カセッテ制御部１０６、表示部１２０、入力部１０８、無線通信部１１２等)は、バッテリ１１６から供給された電力によって作動する。なお、本実施形態では、バッテリ１１６として、クレードル２４の電力供給部６３から供給される電力によって充電される二次電池を用いているが、これに限られるものではなく、バッテリ１１６として一次電池を用いてもよいし、商用電源に常時接続され商用電源から供給された電力を整流、変圧して各種回路へ電力を供給する電源部をバッテリ１１６に代えて設けてもよい。
【００４７】
次に本第１実施形態の作用を説明する。本第１実施形態では、放射線画像の撮影時姿勢に応じて、電子カセッテ２２が放射線撮影室４２内の位置５８又は位置６０へ移動・位置決めされるが、第１実施形態に係る電子カセッテ２２は、表示部１２０を筐体７０内の収納部１２２に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、前述の収納操作を行って表示部１２０を筐体７０内の収納部１２２に収納しておくことで、表示部１２０が電子カセッテ２２の移動の障害となることを防止することができる。
【００４８】
また、第１実施形態に係る電子カセッテ２２は、表示部１２０を筐体７０内の収納部１２２から引き出す方向へスライド移動させる展開操作を行うことで、表示部１２０の表示面を筐体７０外へ展開させることができるので、表示面を筐体７０外へ展開させる展開操作を容易に行うことができ、取扱性も良好である。また、前述の展開操作を行った場合、表示部１２０の表示面は、筐体７０のうち取っ手部１２４が設けられている側面の外側の空間へ展開されるが、電子カセッテ２２の移動や位置調整は取っ手部１２４を把持して行われるので、上記空間は通常、他の物体が存在しない空間であり、他の物体の干渉によって表示部１２０の表示面を展開させることが困難となることを防止することができる。
【００４９】
また、収納部１２２からの表示部１２０の引き出しは、図示しないストッパにより図６(Ｃ)に示す表示可能位置迄に制限され、表示部１２０が筐体７０と分離することのないように筐体７０に取付けられているので、電子カセッテ２２を所望の位置へ移動・位置決めした後に、前述の展開操作によって表示部１２０を収納部１２２から表示可能位置迄引き出し、表示部１２０の表示面を筐体７０外に展開させた場合にも、表示部１２０が筐体７０に支持され、筐体７０に対して図６(Ｃ)に示す位置関係で維持される。従って、表示部１２０を支持する支持機構等は不要であり、表示部１２０を設けたことで電子カセッテ２２の取扱性や可搬性が低下することを回避できる。また、電子カセッテ２２の筐体７０に対して被写体としての患者が図５に破線で示す位置に位置している等の場合にも、表示部１２０の表示面を筐体７０外に展開させることで、表示部１２０の表示面が患者の体と接している状態となったり、患者の体によって表示部１２０の表示面が隠れている状態となることを防止することができ、表示部１２０に表示された放射線画像等の情報を撮影者が確実に視認することができる。
【００５０】
続いて、ＲＩＳ１０における放射線画像の撮影について説明する。医師や放射線技師が端末装置１２を介して放射線画像の撮影を依頼する際には、撮影する患者を特定するための情報（例えば患者ＩＤ等）や撮影部位、撮影時姿勢等の情報が端末装置１２に入力される。なお、患者ＩＤが記録された患者タグが個々の患者に携帯（或いは装着）される場合、患者を特定するための情報の入力は、撮影する患者が携帯している患者タグに記録された患者ＩＤを、端末装置１２に接続された読取装置によって読み取ることによって成される。端末装置１２を介して成された放射線画像の撮影依頼は端末装置１２に入力された各情報と共にＲＩＳサーバ１４へ送信され、ＲＩＳサーバ１４で受け付けされる。
【００５１】
ＲＩＳサーバ１４は、端末装置１２から放射線画像の撮影依頼を受け付けると、既に登録されている個々の放射線画像撮影システム１８における放射線画像の撮影スケジュールを参照し、受け付けた撮影依頼に係る放射線画像の撮影を、何れの放射線画像撮影システム１８で行うかを選択すると共に、選択した放射線画像撮影システム１８で放射線画像の撮影を行う日時を決定する。そして、ＲＩＳデータベースから患者の属性情報等の必要情報を読み出し、読み出した情報や決定した撮影日時等を端末装置１２から受信した情報に付加し、選択した放射線画像撮影システム１８のコンソール２６へ送信する。
【００５２】
コンソール２６は、ＲＩＳサーバ１４から上記情報を受信する毎に受信した情報を記憶部６６Ｃに記憶し、撮影者（放射線技師）からの指示に応じて、記憶部６６Ｃに記憶した情報を、放射線画像の撮影スケジュールや個々の撮影における具体的な撮影内容（例えば撮影を行う患者の氏名、撮影部位や撮影時姿勢、撮影部位から一意に定まる放射線管の標準的な駆動条件等）としてディスプレイ６７に表示する。またコンソール２６は、放射線画像の撮影を行う際に、これから行う放射線撮影における撮影条件を表す撮影条件情報を放射線発生装置２０及び電子カセッテ２２へ送信する。これにより、放射線発生装置２０の線源制御部３２は、受信した撮影条件情報で指定された撮影時姿勢に応じた位置に放射線源３０が位置するように線源移動部３８を制御する。
【００５３】
放射線画像の撮影を行う場合、撮影者（放射線技師）は、コンソール２６で撮影部位や撮影時姿勢、放射線管の駆動条件等を確認した後に、放射線撮影室４２内において、撮影時姿勢に応じた位置（位置５８又は位置６０）へ電子カセッテ２２を移動・位置決めし、撮影を行う患者を撮影時姿勢に応じた位置（位置４８又は位置５０）に位置させ、必要に応じて放射線源３０の位置を微調整する等の一連の準備作業を行う。そして、一連の準備作業が完了すると曝射スイッチ３４をオンする。
【００５４】
これにより、放射線源３０からは、放射線発生装置２０がコンソール２６から受信した撮影条件情報に含まれる放射線管の駆動条件に応じた線量の放射線が発生・射出され、放射線源３０から射出された放射線は患者を透過して電子カセッテ２２の被照射面７２に照射される。また電子カセッテ２２では、被照射面７２内の各部に照射された放射線が放射線検出器７６によって電荷に変換・蓄積された後に、ゲート線ドライバ１００及び信号処理部１０２によって蓄積された電荷が読み出され、放射線画像のデータへ変換されて画像メモリ１０４に記憶される。
【００５５】
また、画像メモリ１０４に記憶された放射線画像のデータは電子カセッテ２２から無線ネットワーク２８を経由してコンソール２６へ送信され、コンソール２６の記憶部６６Ｃに記憶される。記憶部６６Ｃに記憶された放射線画像のデータは、撮影した放射線画像の確認等のためにディスプレイ６７に表示されると共に、ＲＩＳサーバ１４に転送されてＲＩＳデータベースにも格納される。これにより、撮影された放射線画像を端末装置１２のディスプレイに表示させ、医師が放射線画像の読影や診断等を行うことが可能となる。
【００５６】
ところで、患者を誤って放射線画像を撮影してしまうことを防止するため、放射線画像の撮影時に撮影を行う患者本人に対して氏名等の確認を行うことが好ましい。
【００５７】
また、放射線画像の撮影時に患者が動いてしまい、放射線画像上で被写体がブレていた場合は撮影を再度行う必要があるので、撮影者は撮影した放射線画像上で被写体がブレていないか否かを確認する必要がある。
【００５８】
さらに、同一患者の同一部位に対して過去に放射線画像の撮影を行っている場合、医師による放射線画像の読影を容易にするために、撮影者は過去に撮影された放射線画像を参照し、今回の撮影における撮影範囲（ポジショニング）を過去に撮影された放射線画像となるべく一致させる必要がある。また、例えば当初指定された撮影時姿勢が立位であったが、放射線撮影室４２に到来した患者の状態が立位での撮影が負担となる状態（例えば足を怪我している等）であったために、撮影時姿勢を変更することが望ましい場合もある。更に、放射線管の駆動条件の変更が必要となる場合もある。
【００５９】
このような、撮影を行う患者の氏名等の確認、撮影した放射線画像の確認、過去に撮影された放射線画像の参照、撮影時姿勢や放射線管の駆動条件の変更は、コンソール２６を操作すれば何れも可能ではあるものの、コンソール２６は一般に放射線撮影室４２の外（例えば放射線撮影室４２に隣接する別の部屋）に設置されるので、上記のような場合、撮影者は準備作業の途中や撮影を１回行う毎に放射線撮影室４２とコンソール２６の設置箇所を往復する必要があり、非常に煩雑で作業効率が悪いという問題がある。また、過去に撮影された放射線画像を参照しながら撮影範囲（ポジショニング）を調整することができないので、撮影範囲の調整の精度も十分でないという問題もある。
【００６０】
このために、本実施形態に係る電子カセッテ２２には表示部１２０が設けられており、撮影を行う患者の確認、撮影した放射線画像の確認、過去に撮影された放射線画像の参照、撮影時姿勢や放射線管の駆動条件の変更を行う場合やその可能性がある場合、撮影者は把持部１２８を把持し、電子カセッテ２２の筐体７０（の収納部１２２）から表示部１２０を引き出し、表示部１２０の表示面を筐体７０外へ展開する操作を行う。本実施形態に係るカセッテ制御部１０６は表示部１２０が引き出された引き出し量を検出しており、表示部１２０が引き出された引き出し量の変化に応じて電子カセッテ２２の表示部１２０に表示させる情報の内容を切替えており、表示部１２０が引き出された引き出し量が所定量未満の場合は撮影を行う患者の確認や駆動条件の変更を行う画像を表示し、表示部１２０が引き出された引き出し量が所定量よりも大きい場合は撮影した放射線画像、又は過去に撮影された放射線画像を表示する。本実施形態では、所定量を、例えば、表示部１２０を表示可能位置までの引き出し量の１／２の値としている。これにより、本実施形態に係る電子カセッテ２２は、表示部１２０が図６(Ｂ)に示す状態まで引き出された場合、患者の確認や駆動条件の変更を行う画像を表示し、表示部１２０が図６(Ｃ)に示す状態まで引き出された場合、撮影した放射線画像、又は過去に撮影された放射線画像を表示する。
【００６１】
本実施形態に係る電子カセッテ２２では、表示部１２０が引き出されたことが引出センサ１１０によって検出されると、これをトリガとして、電子カセッテ２２のカセッテ制御部１０６によって図７に示す情報表示処理が行われる。
【００６２】
この情報表示処理では、まずステップ３００において、表示部１２０が引き出された引き出し量が上記所定量未満であるか否か判定する。判定が否定された場合はステップ３０２へ移行し、判定が否定された場合はステップ３０４へ移行する。
【００６３】
ステップ３０２では、撮影条件情報のうち表示部１２０に表示すべき最新の各種情報（例えば撮影を行う患者の患者ＩＤや氏名、撮影部位、撮影時姿勢、放射線管の管電圧、管電流等：以下ではこれらの情報を「ＲＩＳ情報」と総称する）の送信を要求する情報を無線通信部１１２を介してコンソール２６へ送信することで、ＲＩＳ情報の送信をコンソール２６に要求する。
【００６４】
一方、ステップ３０４では、過去に撮影された関連する放射線画像のデータを要求する情報を生成し、生成した情報をコンソール２６へ送信することで、過去に撮影され今回の撮影と患者及び撮影部位が同一の放射線画像のデータの転送をコンソール２６に要求する。
【００６５】
次のステップ３０６では、他の機器から何らかの情報を受信したか否か判定する。判定が否定された場合はステップ３０８へ移行し、タッチパネルから成る入力部１０８を介して何らかの情報が入力されたか否か判定する。この判定が否定された場合はステップ３１０へ移行し、表示部１２０の引き出し量に変化があったか否か判定する。この判定が否定された場合はステップ３０６に戻り、何れかの判定が肯定される迄ステップ３０６〜ステップ３１０を繰り返す。一方、ステップ３１０の判定が肯定された場合はステップ３１２へ移行し、表示部１２０が収納部１２２内に収納されたことが引出センサ１１０によって検出されたか否か判定する。この判定が否定された場合はステップ３００に戻る。
【００６６】
コンソール２６では、上記ステップ３０２において要求されたＲＩＳ情報の送信を要求する情報を電子カセッテ２２から受信すると、これから行われる撮影に関する情報を記憶部６６Ｃから読み出し、読み出した情報をＲＩＳ情報として編集し、無線通信部５９を介して電子カセッテ２２へ送信する。
【００６７】
また、コンソール２６は、上記ステップ３０４において要求された過去に撮影された関連する放射線画像のデータを要求する情報を電子カセッテ２２から受信すると、記憶部６６Ｃに記憶した情報に基づいて、撮影を行う患者の患者ＩＤや撮影部位を示す情報をＲＩＳサーバ１４へ送信することで過去に撮影された関連する放射線画像のデータをＲＩＳサーバ１４に要求し、ＲＩＳサーバ１４は、コンソール２６から受信した情報により示される患者ＩＤ及び撮影部位をキーにしてＲＩＳデータベースを検索する。そして、該当する放射線画像のデータがＲＩＳデータベースに記憶されていた場合、ＲＩＳサーバ１４は該当する放射線画像のデータをＲＩＳデータベースから読み出し、要求元のコンソール２６へ送信する。またコンソール２６は、電子カセッテ２２から要求された放射線画像のデータをＲＩＳサーバ１４から受信すると、受信した放射線画像のデータを要求元の電子カセッテ２２へ送信する。
【００６８】
ＲＩＳ情報や放射線画像のデータが電子カセッテ２２の無線通信部１１２で受信されてカセッテ制御部１０６に入力されると、ステップ３０６の判定が肯定されてステップ３１４へ移行し、ステップ３１４では受信した情報の種類に応じて分岐する。受信した情報がコンソール２６から受信したＲＩＳ情報である場合はステップ３１４からステップ３１６へ移行し、受信した情報がコンソール２６から受信した放射線画像のデータである場合はステップ３１４からステップ３２０へ移行する。
【００６９】
次のステップ３１６では、コンソール２６から受信したＲＩＳ情報をメモリ１０６Ｂに記憶させる。そしてステップ３１８では、コンソール２６から受信したＲＩＳ情報をＲＩＳ情報表示・修正画面として表示部１２０の表示面に表示させる。このＲＩＳ情報表示・修正画面は、受信したＲＩＳ情報の内容（患者の患者ＩＤや氏名、撮影部位、撮影時姿勢、放射線管の管電圧、管電流等）を表示すると共に、一部の項目（例えば撮影時姿勢、放射線管の管電圧、管電流等）については撮影者（放射線撮影技師）による修正指示の入力も可能な画面であり、表示部１２０の表示面にこの画面が表示されることで、これから行おうとしている放射線画像の撮影の内容を把握することができる。
【００７０】
この際、カセッテ制御部１０６は、重力センサ１１１によって検出された筐体７０の向きが、水平面に対する表示部１２０の表示面の角度が所定角度（例えば、３０°）以上となる向きである場合は、表示部１２０の上下方向を情報の上下方向として表示部１２０の表示面に情報が表示されるように制御し、検出された筐体７０の向きが、水平面に対する表示部１２０の表示面の角度が上記所定角度未満となる向きである場合は、表示部１２０の筐体７０からの引き出し方向を情報の上下方向として表示部１２０の表示面に情報が表示されるように制御する。
【００７１】
これにより、電子カセッテ２２が立位での放射線撮影を行うために垂直方向に立ててラック４４に位置決めされた場合は、図８（Ａ）に示すように表示部１２０の上下方向が情報の上下方向として表示部１２０にＲＩＳ情報表示・修正画面が表示され、電子カセッテ２２が臥位での放射線撮影を行うために水平方向に寝かねてベッド４６上に位置決めされた場合は、図８（Ｂ）に示すように表示部１２０の筐体７０からの引き出し方向が情報の上下方向として表示部１２０にＲＩＳ情報表示・修正画面が表示される。なお、図８（Ａ）（Ｂ）のＸ−Ｙ軸による平面は水平面を示しており、Ｚ軸は垂直方向を示している。
【００７２】
このように、重力センサ１１１によって検出された筐体７０の向きに応じて、確認が容易な方向へ表示方向を変えて電子カセッテ２２の表示部１２０に情報が表示されるので、情報の確認が容易となる。上記画面では患者ＩＤや氏名が表示されるので、例えば患者本人に対して氏名を確認し、確認した氏名を上記画面に表示されている氏名と照合する等により、撮影を行う患者の取違いが無いか否かを放射線撮影室４２内で確実に確認することができる。また、上記画面では撮影時姿勢や放射線管の管電圧、管電流等が、撮影者による修正指示の入力も可能に表示されるので、撮影者がこれらの項目の内容を確認し、修正が必要と判断した場合には、タッチパネルから成る入力部１０８を介して修正指示を入力することで、放射線撮影室４２とコンソール２６の設置箇所とを往復することなく、撮影時姿勢や放射線管の管電圧、管電流等を変更することが可能となる。ステップ３１８の処理を行うとステップ３０６に戻り、ステップ３０６〜ステップ３１０を繰り返す。
【００７３】
一方、ステップ３２０ではコンソール２６から受信した放射線画像のデータをメモリ１０６Ｂに記憶させる。そしてステップ３２２では、コンソール２６から受信したデータに基づき、当該データが表す放射線画像（今回の撮影と患者及び撮影部位が同一で、過去に撮影された放射線画像）を表示部１２０に表示させ、ステップ３０６に戻る。
【００７４】
この際、カセッテ制御部１０６は、上記ステップ３１８の場合と同様に、重力センサ１１１によって検出された筐体７０の向きが、水平面に対する表示部１２０の表示面の角度が上記所定角度以上となる向きである場合は、表示部１２０の上下方向を情報の上下方向として表示部１２０の表示面に情報が表示されるように制御し、検出された筐体７０の向きが、水平面に対する表示部１２０の表示面の角度が上記所定角度未満となる向きである場合は、表示部１２０の筐体７０からの引き出し方向を情報の上下方向として表示部１２０の表示面に情報が表示されるように制御する。
【００７５】
これにより、電子カセッテ２２が立位での放射線撮影を行うために垂直方向に立ててラック４４に位置決めされた場合は、図９（Ａ）に示すように表示部１２０の上下方向が情報の上下方向として表示部１２０に放射線画像が表示され、電子カセッテ２２が臥位での放射線撮影を行うために水平方向に寝かねてベッド４６上に位置決めされた場合は、図９（Ｂ）に示すように表示部１２０の筐体７０からの引き出し方向が情報の上下方向として表示部１２０に放射線画像が表示される。なお、図９（Ａ）（Ｂ）のＸ−Ｙ軸による平面は水平面を示しており、Ｚ軸は垂直方向を示している。
【００７６】
このように、重力センサ１１１によって検出された筐体７０の向きに応じて、確認が容易な方向へ表示方向を変えて電子カセッテ２２の表示部１２０に情報が表示されるので、情報の確認が容易となる。
【００７７】
撮影者は、表示部１２０に表示された放射線画像を参照することで、同一の患者の同一の撮影部位を過去に撮影した際の撮影範囲等を把握することができ、把握した撮影範囲になるべく一致するように今回の撮影における撮影範囲を調整することを、放射線撮影室４２とコンソール２６の設置箇所とを往復することなく行うことができる。また、過去に撮影された放射線画像が、放射線撮影室４２外に設置されたコンソール２６のディスプレイ６７に表示される場合と比較して、今回の撮影における撮影範囲の調整をより精度良く行うことができる。
【００７８】
なお、過去に撮影され今回の撮影に関連する放射線画像が存在しない場合は、ＲＩＳサーバ１４からコンソール２６へ該当する放射線画像のデータが送信されず、コンソール２６から電子カセッテ２２へも放射線画像のデータが送信されないので、ステップ３２０,３２２の処理は行われず、過去に撮影され今回の撮影に関連する放射線画像は表示されない。
【００７９】
また、表示部１２０にＲＩＳ情報表示・修正画面が表示されている状態で、タッチパネルから成る入力部１０８が撮影者によって操作され、撮影時姿勢や放射線管の管電圧、管電流等の撮影条件の修正を指示する情報が入力された場合には、ステップ３０８の判定が肯定されてステップ３４０へ移行し、入力された情報は撮影条件の修正を指示する情報か否か判定する。この場合は判定が肯定されてステップ３４２へ移行し、メモリ１０６Ｂに記憶しているＲＩＳ情報のうち、入力された情報によって修正が指示された項目の内容を指示に応じて修正する。また、次のステップ３４４では修正後のＲＩＳ情報をコンソール２６へ送信する。なお、次のステップ３４６では放射線画像の確認が終了したか否かを判定するが、この場合は判定が否定されてステップ３０６に戻り、ステップ３０６〜ステップ３１０が再度繰り返される。
【００８０】
撮影者の指示によって修正したＲＩＳ情報を電子カセッテ２２から受信した場合、コンソール２６は、電子カセッテ２２から受信したＲＩＳ情報を撮影条件情報へ編集して放射線発生装置２０へ送信すると共に、記憶部６６Ｃに記憶されている情報のうち受信したＲＩＳ情報に対応する情報を、受信したＲＩＳ情報に基づいて修正する。これにより、撮影者の指示によって修正された項目が管電圧、管電流等の放射線管の駆動条件に関する項目であれば、放射線源３０からの放射線の射出時に、修正後の内容に応じた駆動条件で放射線管が駆動され、撮影者の指示によって修正された項目が撮影時姿勢であれば、放射線源３０が修正後の撮影時姿勢に対応する位置へ移動するように、線源移動部３８による放射線源３０の移動が線源制御部３２によって制御される。上記処理により、撮影者は、今回の撮影における撮影条件の修正を、放射線撮影室４２とコンソール２６の設置箇所とを往復することなく行うことができる。
【００８１】
また、撮影者によって曝射スイッチ３４が押圧操作されると、放射線発生装置２０から電子カセッテ２２へ曝射指示の入力が通知される。電子カセッテ２２のカセッテ制御部１０６は曝射指示が入力されると、撮影が行われることを検知し、ステップ３０６の判定が肯定されてステップ３１４へ移行し、受信した情報が放射線発生装置２０から受信した曝射指示の入力通知である場合はステップ３１４からステップ３２４へ分岐する。なお、ステップ３１４の処理が本発明に係る撮影検知手段に対応している。曝射スイッチ３４が押圧操作されると、放射線発生装置２０は放射線源３０から放射線を射出させ、放射線源３０から射出された放射線は患者（被写体）を透過して電子カセッテ２２に照射される。ステップ３２４では、放射線源３０からの放射線の射出が終了したタイミングで、放射線検出器７６に蓄積された電荷を読み出し、放射線画像のデータへ変換して画像メモリ１０４に記憶するが、電子カセッテ２２がコンソール２６から受信するＲＩＳ情報には、放射線検出器７６からの電荷読み出しにおける読出条件を規定する情報（例えば同時読み出しライン数等）も含まれており、放射線検出器７６からの電荷読み出しは上記情報が規定する読出条件に従って行われる。
【００８２】
次のステップ３２６では、ステップ３２４で画像メモリ１０４に記憶された画像データが表す放射線画像（今回の撮影で得られた放射線画像）を表示部１２０に表示させる。これにより撮影者は、表示部１２０に表示された放射線画像を参照することで、今回の撮影における撮影範囲が適切か否か、放射線画像上で被写体がブレていないか否かを確認することができる。なお、画像メモリ１０４にデータが記憶された放射線画像を表示部１２０にそのまま表示させることに限られるものではなく、例えば画像データに対して各種の画像処理（例えば画像データに重畳されたノイズを除去したり、放射線検出器７６の各画素部９４の特性のばらつきに起因する画像データの画素毎のばらつきを補正する各種の補正処理等）を行った後に、表示部１２０に表示させるようにしてもよい。
【００８３】
また、次のステップ３２８では、今回の撮影で得られた放射線画像の画像データをコンソール２６へ送信する。コンソール２６へ送信された画像データはコンソール２６の記憶部６６Ｃに記憶され、放射線画像の確認等のためにディスプレイ６７に表示されると共に、ＲＩＳサーバ１４に転送されてＲＩＳデータベースにも格納され、端末装置１２を介しての放射線画像の読影や診断等に供せられる。ステップ３２８の処理を終了するとステップ３０６に戻り、ステップ３０６〜ステップ３１０を再度繰り返す。
【００８４】
また、表示部１２０に表示された放射線画像の確認が完了すると、撮影者はタッチパネルから成る入力部１０８を操作し、放射線画像確認の終了を意味する情報を入力する。この場合、ステップ３０８の判定が肯定され、ステップ３４０の判定が否定されると共に、ステップ３４６の判定が肯定されてステップ３４８へ移行し、次に行うべき撮影に対応する情報の送信をコンソール２６に要求してステップ３０６に戻る。そして、この要求に従ってコンソール２６から次の撮影に対応する情報を受信することで、上述したシーケンスが再度繰り返されることになる。
【００８５】
また、電子カセッテ２２を移動させる場合や、その日に予定していた放射線画像の撮影が全て終了した場合、撮影者は把持部１２８を把持し、表示部１２０を押圧して電子カセッテ２２の筐体７０（の収納部１２２）内へ収納させる操作を行う。この操作が行われると、表示部１２０が収納されたことが引出センサ１１０によって検出され、ステップ３１０、及びステップ３１２の判定が肯定されることで、上述した情報表示処理が終了される。
【００８６】
なお、第１実施形態では表示部１２０のスライド移動が、表示部１２０が収納部１２２内を摺動移動することで成される態様を説明したが、これに限定されるものではなく、表示部１２０のスライド移動の方向に直交する方向に沿った表示部１２０の両端部と収納部１２２の内壁の間に、スライド移動に対する摩擦力を低減するレール等を設けてもよい。この場合、表示部１２０をより小さな力でスライド移動させることができる。
【００８７】
〔第２実施形態〕
次に本発明の第２実施形態について説明する。なお、以下では第１実施形態と同一の部分には同一の符号を付して説明を省略し、第１実施形態と異なる部分についてのみ説明する。
【００８８】
図１０には本第２実施形態に係る電子カセッテ２２（の一部）が示されている。本第２実施形態に係る電子カセッテ２２には、第１実施形態で説明した表示部１２０と同様に、全体として厚みを有する長方形状の表示部１３４が設けられており、電子カセッテ２２の筐体７０内に設けられた収納部１２２は表示部１３４全体を収納可能な形状・大きさとされ、筐体７０の側面に設けられた開口１２６は表示部１３４が通過可能な形状・大きさとされている。また、表示部１３４全体が収納部１２２内に収納されている状態(図１０(Ａ)に示す状態)で、開口１２６を閉塞する表示部１３４の側面には取っ手部１２４が取付けられている。取っ手部１２４は電子カセッテ２２（筐体７０）を移動させる際に把持されると共に、表示部１３４をスライド移動させる際にも把持される。
【００８９】
また表示部１３４は、収納部１２２内へ挿入する際の先端側で、かつ収納部１２２内への挿入方向に直交する方向に沿った両端部が、前記挿入方向に直交する軸回りに回動可能にブラケット１３６（図１０(Ｃ),(Ｄ)参照）に支持されている。ブラケット１３６は、第１実施形態で説明した展開操作や収納操作に伴い、表示部１３４と一体となって収納部１２２内をスライド移動されるが、このブラケット１３６には、収納部１２２から引き出す方向への表示部１３４及びブラケット１３６のスライド移動を、図１０(Ｃ),(Ｄ)に示す位置(表示可能位置)迄に制限する図示しないストッパが取付けられている。このストッパにより、表示部１３４全体が収納部１２２から離脱する（表示部１３４が電子カセッテ２２の筐体７０と分離する）ことが阻止される。このように、表示部１３４は表示面の収納が可能に筐体７０に取付けられている。
【００９０】
また表示部１３４は、被照射面７２側が上方を向くように電子カセッテ２２の筐体７０が配置された状態で、表示面が下方を向く向きで収納部１２２内に収納されるが、表示部１３４とブラケット１３６との間には、コイルばね等から成り表示部１３４を前記軸回り（図１０の矢印Ｆ方向）に回動させる付勢手段が介在されている（図示省略）。これにより、車載用ナビゲーション装置においてディスプレイをダッシュボード内に収納可能な所謂インダッシュ型ディスプレイと同様に、表示部１３４を筐体７０の収納部１２２内から引き出す方向（図１０の矢印Ｄ方向）へスライド移動(摺動移動)させる展開操作が行われ、表示部１３４が収納部１２２から図１０(Ｃ)に示す表示可能位置迄引き出されると、付勢手段の付勢力により、表示部１３４は図１０(Ｄ)に示す位置（表示面が被照射面７２に直交する方向におよそ沿う位置）迄図１０の矢印Ｆ方向へ回動され、表示面が電子カセッテ２２の側方から容易に視認可能に展開された状態になる。
【００９１】
また、この状態で取っ手部１２４が把持され、表示部１３４の表示面が下方を向く位置迄表示部１３４を逆方向（図１０の矢印Ｆ方向と反対の方向）へ回動させる操作が行われた後に、収納部１２２内へ挿入する方向（図１０の矢印Ｅ）へ表示部１３４をスライド移動させる収納操作が行われることで、表示部１３４は収納部１２２内に収納される。また図示は省略するが、本第２実施形態において、鉛シート１３０は収納部１２２の底面（表示部１３４が収納部１２２内に収納された状態で表示部１３４の表示面と対向する面）に貼付されている。また、本第２実施形態においても、表示面に設けられた表示領域の形状が長方形状であるので、上記の表示デバイスとしてはＬＣＤが好適であるが、ＬＣＤ以外の表示デバイスを用いてもよい。なお、表示部１３４は本発明に係る表示手段に対応している。
【００９２】
カセッテ制御部１０６は重力センサ１１１による検出結果に基づいて電子カセッテ２２の筐体７０の向きを検出することにより水平面に対する表示部１３４の成す角度を検出するが、表示部１３４は表示可能位置迄引き出された場合、回動する。このため、本実施形態に係る電子カセッテ２２は引出センサ１１０による検出結果に基づいて収納部１２２内から表示部１３４が引き出された引出量を検出し、引出センサ１１０が表示部１３４が表示可能位置迄引き出された場合、図１０(Ｄ)に示すように表示面が被照射面７２に直交するものとして重力センサ１１１による検出結果に直交分の角度を加味して水平面に対する表示部１３４の向きを判断する。なお、重力センサ１１１を表示部１３４の表示面の周辺領域に設けて、表示部１３４の表示面の角度を検出するものとしてもよい。
【００９３】
表示部１３４は表示可能位置迄引き出され、表示面が被照射面７２に直交する方向におよそ沿う位置まで回動されて使用される。このため、第１実施形態のように、表示部１３４が引き出された引き出し量でＲＩＳ情報表示・修正画面と放射線画像の表示の切り替えを行うことは使用上好ましくない。このため、本実施形態ではＲＩＳ情報表示・修正画面と放射線画像の表示の切り替えはタッチパネルから成る入力部１０８への所定の切替操作によって行うものとする。
【００９４】
この表示部１３４へのＲＩＳ情報表示・修正画面の表示と放射線画像の表示においても、カセッテ制御部１０６は、重力センサ１１１によって検出された筐体７０の向きに基づいて水平面に対する表示部１３４の表示面の角度を求め、水平面に対する表示部１３４の表示面の角度が上記所定角度以上となる向きである場合は、表示部１３４の上下方向を情報の上下方向として表示部１３４の表示面に情報が表示されるように制御し、検出された筐体７０の向きが、水平面に対する表示部１３４の表示面の角度が上記所定角度未満となる向きである場合は、表示部１３４の筐体７０からの引き出し方向を情報の上下方向として表示部１３４の表示面に情報が表示されるように制御する。
【００９５】
このように、重力センサ１１１によって検出された筐体７０の向きに応じて、確認が容易な方向へ表示方向を変えて電子カセッテ２２の表示部１３４に情報が表示されるので、情報の確認が容易となる。
【００９６】
〔第３実施形態〕
次に本発明の第３実施形態について説明する。なお、第１実施形態及び第２実施形態と同一の部分には同一の符号を付し、説明を省略する。
【００９７】
図１１には本第３実施形態に係る電子カセッテ２２（の一部）が示されている。本第３実施形態に係る電子カセッテ２２には、厚みを有する円弧形状の表示部１４０が設けられており、電子カセッテ２２の筐体７０内に設けられた収納部１２２は表示部１４０全体を収納可能な形状・大きさとされ、筐体７０の側面に設けられた開口１２６は表示部１４０が通過可能な大きさとされている。また、表示部１４０全体が収納部１２２内に収納されている状態(図１１(Ａ)に示す状態)で、開口１２６の長手方向に沿った表示部１４０の一方の端部は、被照射面７２に直交する方向に沿った軸回りに回動可能に筐体７０に支持されている。また、図１１(Ａ)に示す状態で、開口１２６を閉塞する表示部１４０の側面のうち、筐体７０に支持されている側の端部と反対側の端部付近には単一の把持部１４２が取付けられている。
【００９８】
また表示部１４０には、収納部１２２から引き出す方向への表示部１４０の回動（回転スライド）を、図１１(Ｃ)に示す位置(表示可能位置)迄に制限する図示しないストッパが取付けられている。これにより、表示部１４０は、把持部１４２が把持され、表示部１４０を筐体７０の収納部１２２内から引き出す方向（図１１の矢印Ｇ方向）へ回転スライドさせる展開操作が行われることで、筐体７０外のうち取っ手部が設けられている側へ表示面が展開し、表示部１４０の大部分が筐体７０外に露出している状態となる(図１１(Ｃ)に示す表示可能位置に位置する)。また表示部１４０は、表示可能位置に位置している状態で、把持部１４２が把持され、表示部１４０を筐体７０の収納部１２２内へ挿入する方向（図１１の矢印Ｈ方向）へ回転スライドさせる収納操作が行われることで、表示部１４０全体が収納部１２２内に収納されている状態となる(図１１(Ａ)に示す収納位置に位置する)。このように、表示部１４０は表示面の収納が可能に筐体７０に取付けられている。
【００９９】
また、本第３実施形態において、鉛シート１３０は表示部１４０の背面に貼付してもよいし、収納部１２２の底面に貼付してもよいが、本第３実施形態に係る表示部１４０は円弧形状であり、表示部１４０の背面に鉛シート１３０を貼付した場合、被照射面７２側から見て鉛シート１３０が部分的に（円弧形状の領域にのみ）配設されていることになる。これは、収納部１２２の底面を表示部１４０に倣って円弧状とした場合も同様である。このため、収納部１２２の底面は第１実施形態や第２実施形態と同様の矩形状とし、収納部１２２の底面の全面に鉛シート１３０を貼付するか、又は、表示部１４０の背面に鉛シート１３０を貼付する場合は、収納部１２２の底面のうち表示部１４０に対応する円弧形状の領域を除いた領域にも鉛シートを貼付することが望ましい。また、鉛シート１３０は鉛シート７８による放射線のバック散乱の吸収低減を補助する目的で設けられているので必須ではなく、鉛シート１３０を省略することも可能である。
【０１００】
また図１１(特に図１１(Ｃ))に示すように、本第３実施形態では、表示部１４０の表示面における表示領域の形状を表示部１４０と同様に円弧形状としているが、表示領域がこのような形状の表示デバイスは特殊であるので、表示領域の形状は矩形状としてもよい。これにより、一般的かつ安価な表示デバイスを用いて表示部１４０を構成することが可能となる。なお、表示部１４０は本発明に係る表示手段に対応している。
【０１０１】
カセッテ制御部１０６は、第１実施形態と同様に、表示部１４０が引き出された引き出し量でＲＩＳ情報表示・修正画面と放射線画像とを切り替えて表示部１４０に表示させる。
【０１０２】
また、この表示部１４０へのＲＩＳ情報表示・修正画面の表示と放射線画像の表示においても、カセッテ制御部１０６は、重力センサ１１１によって検出された筐体７０の向きが、水平面に対する表示部１４０の表示面の角度が上記所定角度以上となる向きである場合は、表示部１４０の上下方向を情報の上下方向として表示部１４０の表示面に情報が表示されるように制御し、検出された筐体７０の向きが、水平面に対する表示部１４０の表示面の角度が上記所定角度未満となる向きである場合は、表示部１４０の筐体７０からの引き出し方向を情報の上下方向として表示部１４０の表示面に情報が表示されるように制御する。
【０１０３】
このように、重力センサ１１１によって検出された筐体７０の向きに応じて、確認が容易な方向へ表示方向を変えて電子カセッテ２２の表示部１４０に情報が表示されるので、情報の確認が容易となる。
【０１０４】
〔第４実施形態〕
次に本発明の第４実施形態について説明する。なお、第１実施形態〜第３実施形態と同一の部分には同一の符号を付し、説明を省略する。
【０１０５】
図１２には本第４実施形態に係る電子カセッテ２２（の一部）が示されている。図１２(Ｂ),(Ｃ)に示すように、本第４実施形態に係る電子カセッテ２２には可撓性を有する長尺のシート状の表示部１４６が設けられている。なお、表示部１４６としては電子ペーパが好適である。表示部１４６は長手方向の一端部が巻取軸１４８に取付けられており、電子カセッテ２２の筐体７０内のうち取っ手部１２４が取付けられている一端部側には、表示部１４６の全量が巻取軸１４８に巻き取られた状態での表示部１４６及び巻取軸１４８を収納可能な収納スペース（収納部１５０）が設けられている。巻取軸１４８は収納部１５０内に配置されており、回転可能に筐体７０に支持されている。図示は省略するが、収納部１５０内には、付勢手段の付勢力によって表示部１４６を巻き取る方向へ巻取軸１４８を回転させる回転機構と、巻取軸１４８から表示部１４６の全量が引き出されると回転機構による巻取軸１４８の回転を阻止する状態となり、この状態から表示部１４６を介して巻取軸１４８が更に引張られると、巻取軸１４８の回転を阻止する状態が解除されるラッチ機構が設けられている。
【０１０６】
また、表示部１４６のうち巻取軸１４８に取付けられている側と反対側の端部には、断面が矩形状でかつ長尺状の保護部材１５２が取付けられており、保護部材１５２には、その側面の２箇所に把持部１５４が取付けられている。保護部材１５２は、把持部１５４が把持され、回転機構による回転力に抗して巻取軸１４８から表示部１４６を引き出す方向に把持部１５４が引張られた際に、把持部１５４に加わった引張力を表示部１４６へ均一に伝達することで表示部１４６の破損等を防止する機能を有している。また、電子カセッテ２２の筐体７０のうち取っ手部１２４が取付けられている側面には開口１２６が設けられており、収納部１５０内の開口１２６に対応する箇所には、回転機構の回転力により保護部材１５２が図１２(Ａ)に示す位置から更に収納部１５０内へ入り込むことを阻止するためのストッパ（図示省略）が設けられている。
【０１０７】
本第４実施形態に係る表示部１４６は、把持部１５４が把持され、回転機構による回転力に抗して、表示部１４６を筐体７０の収納部１５０内から引き出す方向（図１２の矢印Ｄ方向）へ引張る展開操作が行われて、巻取軸１４８から表示部１４６の全量が引き出され、回転機構による巻取軸１４８の回転がラッチ機構によって阻止される状態となることで、筐体７０外のうち取っ手部が設けられている側へ表示面が展開し、表示部１４６の大部分が筐体７０外に露出している状態(図１２(Ｃ)に示す状態) となる。また、この状態から把持部１５４、保護部材１５２及び表示部１４６を介して巻取軸１４８を更に引張る収納操作が行われると、ラッチ機構による巻取軸１４８の回転阻止状態が解除され、表示部１４６を巻き取る方向へ回転機構によって巻取軸１４８が回転されることで、表示部１４６が巻取軸１４８に巻き取られて収納部１５０内に収納された状態（図１２(Ａ)参照）となる。このように、本第４実施形態に係る表示部１４６も表示面の収納が可能に筐体７０に取付けられている。なお、表示部１４６は本発明に係る表示手段に対応している。
【０１０８】
表示部１４６は可撓性を有するため、電子カセッテ２２の筐体７０の向きと表示部１４６の向きは必ずしも一致しない。しかし、本実施形態に係る電子カセッテ２２では、図１２(Ｃ)に示すように表示部１４６が筐体７０外に真っ直ぐ引き出されて展開され、電子カセッテ２２の筐体７０の向きと表示部１４６の向きが一致しているものとして重力センサ１１１によって検出された筐体７０の向きから表示部１４６の向きを判断する。
【０１０９】
カセッテ制御部１０６は、第１実施形態と同様に、表示部１４６が引き出された引き出し量でＲＩＳ情報表示・修正画面と放射線画像とを切り替えて表示部１４６に表示させる。
【０１１０】
また、この表示部１４６へのＲＩＳ情報表示・修正画面の表示と放射線画像の表示においても、カセッテ制御部１０６は、重力センサ１１１によって検出された筐体７０の向きが、水平面に対する表示部１４６の表示面の角度が上記所定角度以上となる向きである場合は、表示部１４６の上下方向を情報の上下方向として表示部１４６の表示面に情報が表示されるように制御し、検出された筐体７０の向きが、水平面に対する表示部１４６の表示面の角度が上記所定角度未満となる向きである場合は、表示部１４６の筐体７０からの引き出し方向を情報の上下方向として表示部１４６の表示面に情報が表示されるように制御する。
【０１１１】
このように、重力センサ１１１によって検出された筐体７０の向きに応じて、確認が容易な方向へ表示方向を変えて電子カセッテ２２の表示部１４６に情報が表示されるので、情報の確認が容易となる。
【０１１２】
なお、第４実施形態では、図１２に示すように収納部１５０が筐体７０内に設けられ、表示部１４６が収納部１５０内(筐体７０内)に収納される態様を示したが、本発明はこれに限定されるものではなく、例として図１３に示すように、内部に収納部が形成され、表示部１４６が取付けられた巻取軸１４８を回転可能に支持すると共に、前述の回転機構及びラッチ機構が設けられた表示部収納ケース１５６を、電子カセッテ２２の筐体７０の側面に取付けた構成を採用してもよい。図１３では取っ手部１２４も表示部収納ケース１５６に取付けられているが、このように、本発明に係る取っ手部は、電子カセッテ２２の筐体と一体であれば筐体に直接取付けられていなくてもよい。
【０１１３】
〔第５実施形態〕
次に本発明の第５実施形態について説明する。なお、第１実施形態〜第４実施形態と同一の部分には同一の符号を付し、説明を省略する。
【０１１４】
図１４には本第５実施形態に係る電子カセッテ２２（の一部）が示されている。図１４ (Ｃ)に示すように、本第５実施形態に係る電子カセッテ２２に設けられている表示部１６０は、各々平板状でＬＣＤ等の表示デバイスから成る複数の部分表示部１６２が、およそ面一となるように展開可能で、かつ折り畳み可能に連結されて構成されている。図１５にも示すように、個々の部分表示部１６２は、対向する第１及び第２の辺が第１の方向と平行で、かつ対向する第３及び第４の辺が第１の方向と直交する第２の方向に対して所定角度傾斜された四辺形状とされており、表示部１６０は、個々の部分表示部の第１の辺が他の部分表示部の第２の辺と連結され、第３の辺が他の部分表示部の第４の辺と連結されるように、複数の部分表示部１６２がマトリクス状に配列・連結されて構成されている。
【０１１５】
なお、図示は省略するが、個々の部分表示部１６２の間はヒンジによって連結されている。このヒンジとしては、開閉角度が０°(全閉)〜１８０°(全開)とされ１８０°を越えて回動することを阻止する回動阻止部が設けられたヒンジが用いられている。上述した個々の部分表示部１６２の形状・配置は、単一の表示部１６０の表示面を、所謂ミウラ折りに倣って複数の部分表示部１６２に分割したことに相当し、個々の部分表示部１６２はミウラ折り状に折り畳まれるが、上記のヒンジは、複数の部分表示部１６２がミウラ折り状に折り畳まれる際に、個々の部分表示部１６２の間が山折りに回動されるか谷折りに回動されるかに応じた向きで、個々の部分表示部１６２の間に取付けられている。これにより、表示部１６０は、複数の部分表示部１６２がおよそ面一となるように展開されると、個々のヒンジが１８０°を越えて回動することが阻止されていることで、複数の部分表示部１６２がおよそ面一となっている状態(図１４(Ｃ)に示す状態)で維持される。
【０１１６】
また、図示は省略するが、個々の部分表示部１６２の間は可撓性を有する電気配線によって各々接続されており、表示部１６０は、この電気配線を介して伝送される信号により、複数の部分表示部１６２がおよそ面一となるように展開された状態で、表示部１６０のほぼ全面に画像等の情報を表示することが可能とされている。また、図１４,１３では３×３で合計９個の部分表示部１６２を連結した構成の表示部１６０を示しているが、表示部はより多数個の部分表示部を連結した構成であってもよい。
【０１１７】
前述のように、本第５実施形態に係る表示部１６０は、単一の表示部１６０の表示面をミウラ折りに倣って複数の部分表示部１６２に分割した構成であり、個々の部分表示部１６２の形状が非長方形であるので、部分表示部１６２専用の表示デバイスを開発・製造せざるを得ないという欠点はあるものの、マトリクス状に配列・連結された複数の部分表示部１６２の展開を、単一かつ特定の部分表示部１６２（複数の部分表示部１６２が折り畳まれた状態（図１４(Ａ),(Ｂ)に示す状態）で最上層に位置する部分表示部１６２）に一定方向の力（図１４(Ｂ)に示す矢印Ｍ方向への引張り力）を加える展開操作を行うのみで実現できると共に、およそ面一となるように展開された状態の複数の部分表示部１６２の折り畳みについても、前記特定の部分表示部１６２に一定方向の力（図１４(Ｃ)に示す矢印Ｎ方向への引張り力）を加える折り畳み操作を行うのみで実現でき、複数の部分表示部１６２の展開・折り畳みを容易に行うことができる。本第５実施形態では、上記の特定の部分表示部１６２の角部に把持部１６４が取付けられている。
【０１１８】
また、本第５実施形態に係る電子カセッテ２２の筐体７０のうち、取っ手部１２４が取付けられている側面と、当該側面に隣接する側面との角部には、複数の部分表示部１６２が折り畳まれた状態の表示部１６０を収納可能な形状・大きさで、筐体７０外に開口している収納部１６６が設けられている。収納部１６６内の角部には、被照射面７２に直交する方向に沿って延びる回転軸１６８が立設しており、回転軸１６８は回転部材１７０の略中央に設けられた円孔を貫通しており、回転部材１７０は、表示部１６０の複数の部分表示部１６２のうち、複数の部分表示部１６２が折り畳まれた状態で最下層に位置する部分表示部１６２の角部付近に取付けられている。
【０１１９】
これにより、表示部１６０は、複数の部分表示部１６２が折り畳まれているか展開されているかに拘わらず、回転軸１６８を中心として回動可能とされている（複数の部分表示部１６２が折り畳まれている状態での表示部１６０の回動を図１４(Ａ),(Ｂ)に示し、複数の部分表示部１６２が展開されている状態での表示部１６０の回動を図１５(Ａ)〜(Ｃ)に示す）。表示部１６０は、複数の部分表示部１６２が折り畳まれている状態で、回転軸１６８を中心として図１４(Ａ)の矢印Ｊ方向へ回動させる操作（引き出し操作）が行われることで、図１４(Ｂ)に示すように収納部１６６内から引き出され、回転軸１６８を中心として図１４(Ｂ)の矢印Ｋ方向へ回動させる操作（収納操作）が行われることで、図１４(Ａ)に示すように収納部１６６に収納される。また表示部１６０は、複数の部分表示部１６２がおよそ面一となるように展開されている状態では、回転軸１６８を中心とする回動に伴い、図１５(Ａ)に示すように、表示部１６０が筐体７０のうち取っ手部１２４が取付けられている側面の外側の空間に位置している状態や、図１５(Ｃ)に示すように、表示部１６０が筐体７０のうち取っ手部１２４が取付けられている側面と隣り合う側面の外側の空間に位置している状態、或いは図１５(Ｂ)に示すようにその中間の状態をとり得る。このように、表示部１６０も表示面の収納(及び折り畳み)が可能に筐体７０に取付けられている。
【０１２０】
また、表示部１６０の複数の部分表示部１６２のうち、複数の部分表示部１６２が折り畳まれた状態で最下層に位置する部分表示部１６２には、複数の部分表示部１６２が折り畳まれ、かつ表示部１６０が収納部１６６内に収納されている状態で、筐体７０外へ露出する側の側面に把持部１７２が取付けられている。この把持部１７２を把持することで、収納部１６６内に収納されている表示部１６０の引き出しを容易に行うことができる。なお、表示部１６０は本発明に係る表示手段に対応している。
【０１２１】
表示部１６２は折り畳み可能であるため、電子カセッテ２２の筐体７０の向きと表示部１６２の向きは必ずしも一致しない。しかし、本実施形態に係る電子カセッテ２２では、図１４(Ｃ)に示すように表示部１６２が筐体７０外に引き出されて展開され、電子カセッテ２２の筐体７０の向きと表示部１６２の向きが一致しているものとして重力センサ１１１によって検出された筐体７０の向きから表示部１６２の向きを判断する。
【０１２２】
カセッテ制御部１０６は表示部１６２を制御してＲＩＳ情報表示・修正画面、又は放射線画像を表示させるが、ＲＩＳ情報表示・修正画面の表示と放射線画像の表示との切り替えは入力部のスイッチへの所定の切替操作によって行うものとする。
【０１２３】
この表示部１６２へのＲＩＳ情報表示・修正画面の表示と放射線画像の表示においても、カセッテ制御部１０６は、重力センサ１１１によって検出された筐体７０の向きが、水平面に対する表示部１６２の表示面の角度が上記所定角度以上となる向きである場合は、表示部１６２の上下方向を情報の上下方向として表示部１６２の表示面に情報が表示されるように制御し、検出された筐体７０の向きが、水平面に対する表示部１６２の表示面の角度が上記所定角度未満となる向きである場合は、表示部１６２の筐体７０からの引き出し方向を情報の上下方向として表示部１６２の表示面に情報が表示されるように制御する。
【０１２４】
このように、重力センサ１１１によって検出された筐体７０の向きに応じて、確認が容易な方向へ表示方向を変えて電子カセッテ２２の表示部１６２に情報が表示されるので、情報の確認が容易となる。
【０１２５】
〔第６実施形態〕
次に本発明の第６実施形態について説明する。なお、上述した各実施形態と同一の部分には同一の符号を付し、説明を省略する。
【０１２６】
図１６には本第６実施形態に係る電子カセッテ２２（の一部）が示されている。図１６(Ｂ),(Ｃ)に示すように、本第６実施形態に係る電子カセッテ２２には、第４実施形態と同様に可撓性を有する長尺のシート状の表示部２００が設けられている。表示部２００は長手方向の一端部が巻取軸２０２に取付けられている。また、本第６実施形態に係る電子カセッテ２２には、筐体７０を移動させる際に把持するための取っ手部として、把持される部分（把持部）が太くされた形状の取っ手部２０４が筐体７０に取付けられている。取っ手部２０４の把持部内には、表示部２００の全量が巻取軸１４８に巻き取られた状態での表示部２００及び巻取軸１４８を収納可能な収納スペース（収納部２０６）が設けられている。巻取軸１４８は収納部２０６内に配置されており、回転可能に取っ手部２０４に支持されている。図示は省略するが、収納部２０６内には第４実施形態と同様の回転機構及びラッチ機構が設けられている。
【０１２７】
また、表示部２００のうち巻取軸２０２に取付けられている側と反対側の端部には保護部材２０８が取付けられており、保護部材２０８の側面には単一の把持部１５４が取付けられている。また、取っ手部２０４のうち収納部２０６に対応する箇所には開口２１０が設けられており、収納部２０６内の開口２１０に対応する箇所には、回転機構の回転力により保護部材２０８が図１６(Ａ)に示す位置から更に収納部２０６内へ入り込むことを阻止するためのストッパ（図示省略）が設けられている。
【０１２８】
本第６実施形態に係る表示部２００は、把持部１５４が把持され、回転機構による回転力に抗して、表示部２００を取っ手部２０４の収納部２０６内から引き出す方向（図１６の矢印Ｄ方向）へ引張る展開操作が行われて、巻取軸２０２から表示部２００の全量が引き出され、回転機構による巻取軸２０２の回転がラッチ機構によって阻止される状態となることで、取っ手部２０４の外側の空間へ表示面が展開し、表示部２００の大部分が筐体７０外（取っ手部２０４外）に露出している状態(図１６(Ｃ)に示す状態) となる。また、この状態から把持部１５４、保護部材２０８及び表示部２００を介して巻取軸２０２を更に引張る収納操作が行われると、ラッチ機構による巻取軸２０２の回転阻止状態が解除され、表示部２００を巻き取る方向へ回転機構によって巻取軸２０２が回転されることで、表示部２００が巻取軸２０２に巻き取られて収納部２０６内に収納された状態（図１６(Ａ)参照）となる。このように、本第６実施形態に係る表示部２００は表示面の収納が可能に取っ手部２０４に設けられている。なお、表示部２００は本発明に係る表示手段に対応している。
【０１２９】
表示部２００は第４実施形態と同様に可撓性を有するため、電子カセッテ２２の筐体７０の向きと表示部２００の向きは必ずしも一致しないが、第４実施形態と同様に、図１６(Ｃ)に示すように表示部２００が筐体７０外に真っ直ぐ引き出されて展開され、電子カセッテ２２の筐体７０の向きと表示部２００の向きが一致しているものとして重力センサ１１１によって検出された筐体７０の向きから表示部２００の向きを判断する。
【０１３０】
カセッテ制御部１０６は、第１実施形態と同様に、表示部２００が引き出された引き出し量でＲＩＳ情報表示・修正画面と放射線画像とを切り替えて表示部２００に表示させる。
【０１３１】
また、この表示部２００へのＲＩＳ情報表示・修正画面の表示と放射線画像の表示においても、カセッテ制御部１０６は、重力センサ１１１によって検出された筐体７０の向きが、水平面に対する表示部２００の表示面の角度が上記所定角度以上となる向きである場合は、表示部２００の上下方向を情報の上下方向として表示部２００の表示面に情報が表示されるように制御し、検出された筐体７０の向きが、水平面に対する表示部２００の表示面の角度が上記所定角度未満となる向きである場合は、表示部２００の筐体７０からの引き出し方向を情報の上下方向として表示部２００の表示面に情報が表示されるように制御する。
【０１３２】
このように、重力センサ１１１によって検出された筐体７０の向きに応じて、確認が容易な方向へ表示方向を変えて電子カセッテ２２の表示部２００に情報が表示されるので、情報の確認が容易となる。
【０１３３】
〔第７実施形態〕
次に本発明の第７実施形態について説明する。なお、第６実施形態と同一の部分には同一の符号を付し、説明を省略する。
【０１３４】
図１７(Ａ)には本第７実施形態に係る電子カセッテ２２（の一部）が示されている。本第７実施形態に係る取っ手部２０４は、取っ手部２０４のうち筐体７０を移動させる際に把持される把持部２０４Ａが、当該把持部２０４Ａの長手方向両端に設けられた一対の基部２０４Ｂにより、把持部２０４Ａの長手方向に沿った軸回り（図１７(Ａ)の矢印Ｑ方向）に回動可能に支持されている。また、把持部２０４Ａの中間部には射出孔２１８が穿設されており、把持部２０４Ａ内のうち射出孔２１８に対応する位置には、表示対象の情報を投影表示するための投影光を射出孔２１８を介して射出することで、射出した投影光が照射された被投影物に表示対象の情報を投影表示可能な投影デバイス２２０が設けられている。投影デバイス２２０は、把持部２０４Ａの回動時に把持部２０４Ａと一体となって回動する。これにより、取っ手部２０４からの投影光の射出方向は把持部２０４Ａの回動に伴って変化する。
【０１３５】
なお、投影デバイス２２０としては、例えば米国  テキサス・インスツルメンツ社のＤＬＰ(デジタル・ライト・プロセッシング） ｐｉｃｏ(登録商標)などの超小型プロジェクタ・デバイスを用いることができる。このデバイスは超小型のＤＭＤ（デジタル・マイクロミラー・デバイス）を内蔵しており、ＤＭＤに二次元に並んだ各ミラーを個別に駆動させることで投影光を生成・射出することができる。なお、投影デバイス２２０としては、小型の高温ポリシリコンＴＦＴ液晶パネル（ＨＴＰＳ：High Temperature poly-Silicon）を用いたＬＣＤ方式の超小型プロジェクタ・デバイスを用いてもよし、ＤＭＤや音響光学素子等の変調素子に代えて光源としての半導体レーザを変調する構成の投影デバイス（例えば、日経ＢＰ、”「マイクロマシン展」日本信号がシガレット・ケース大に小型化した小型化カラー・プロジェクタ”、[online]、[平成２０年８月１４日検索]、インターネット＜ＵＲＬ：http://techon.nikkeibp.co.jp/article/NEWS/20080731/155810/＞を参照）を用いることも可能である。
【０１３６】
また、本第７実施形態ではタッチパネルから成る入力部１０８が省略されており、これに代えて、投影デバイス２２０による放射線画像の投影表示を指示するためのスイッチ等から成る入力部（図示省略）が取っ手部２０４又は筐体７０に設けられている。この入力部はカセッテ制御部１０６に接続されており、カセッテ制御部１０６は、撮影者によって入力部のスイッチ等が操作されて投影デバイス２２０による放射線画像の投影表示が指示されると、投影表示すべき放射線画像の画像データを、投影デバイス２２０における変調に使用可能な変調データへ変換した後に投影デバイス２２０へ出力する。これにより、投影デバイス２２０はカセッテ制御部１０６から入力された変調データに応じて変調した投影光を生成すると共に、生成した投影光を射出孔２１８を介して把持部２０４Ａ外（取っ手部２０４外）へ射出する。
【０１３７】
撮影者は、射出孔２１８を介して投影光が射出されると、壁やスクリーン等（撮影者の手のひら等でもよい）の被投影物２２２(図１７(Ｂ)参照)に投影光が照射されるように、把持部２０４Ａを回動させて取っ手部２０４からの投影光の射出方向を調整する。これにより、被投影物２２２に投影光が照射され、図１７(Ｂ)に示すように、被投影物２２２に放射線画像が投影表示されることになる。なお、被投影物２２２に投影表示させる情報は放射線画像に限られるものではなく、文字情報等を表示することも可能である。なお、投影デバイス２２０は本発明に係る表示手段に対応している。
【０１３８】
本実施形態に係る電子カセッテ２２は投影デバイス２２０によりなどの情報を投影表示しており、投影デバイス２２０が設けられた把持部２０４Ａは軸回りに回動可能とされている。このため、本実施形態に係る電子カセッテ２２では重力センサ１１１を把持部２０４Ａ内に設けて、投影デバイス２２０により投影される画像の向きを検出する。なお、重力センサ１１１を電子カセッテ２２本体側に設けると共に、把持部２０４Ａの軸回りに回転状態を検出し、検出した把持部２０４Ａの回転状態を加味して投影デバイス２２０により投影される画像の向きを検出するものとしてもよい。
【０１３９】
カセッテ制御部１０６は投影デバイス２２０を制御してＲＩＳ情報表示・修正画面、又は放射線画像を表示させるが、ＲＩＳ情報表示・修正画面の表示と放射線画像の表示との切り替えは入力部のスイッチへの所定の切替操作によって行うものとする。
【０１４０】
この表示部１３４へのＲＩＳ情報表示・修正画面の表示と放射線画像の表示においても、カセッテ制御部１０６は、重力センサ１１１によって検出された把持部２０４Ａの向きに基づいて投影表示される画像の上下方向を情報の上下方向として情報が表示されるように制御する。
【０１４１】
このように、重力センサ１１１によって検出された把持部２０４Ａの向きに応じて、確認が容易な方向へ表示方向を変えて投影デバイス２２０により情報が投影されるので、情報の確認が容易となる。
【０１４２】
なお、上記では検出された筐体７０の向きが、水平面に対する表示部の表示面の角度が上記所定角度未満となる向きである場合は、表示部の筐体７０からの引き出し方向を情報の上下方向として表示部の表示面に情報が表示されるように制御させる態様を説明したが、これに限られるものではなく、引き出し方向の反対方向を情報の上下方向として表示部の表示面に情報が表示されるように制御してもよい。
【０１４３】
なお、上記では表示部を引き出して使用される態様を説明したが、これに限られるものではなく、例えば、表示部を筐体７０の被照射面７２の反対の裏面に設けてもよい。この場合、重力センサ１１１によって筐体７０に加わる振動を検出し、撮影が行われたことが検知された後に、筐体７０に振動が加わったことが検出された場合に、今回の撮影で得られた放射線画像を裏面側の表示部の表示面に表示させてもよい。この場合、第２実施形態のように表示部１３４が、被照射面７２側が上方を向くように電子カセッテ２２の筐体７０が配置された状態で、表示面が下方を向く向きで収納部１２２内に収納される場合は、筐体７０の裏面側を透過性を有する部材として外部から表示部１３４の表示面が見えるようにすることにより裏面側の表示部を兼ねさせることができる。
【０１４４】
また、上記では過去に撮影され今回の撮影に関連する放射線画像として、過去に撮影され、今回の撮影と患者が同一かつ撮影部位が同一の放射線画像を表示部に表示させる態様を説明したが、これに限られるものではなく、過去に撮影され今回の撮影と撮影部位が同一の放射線画像を、過去に撮影され今回の撮影に関連する放射線画像として表示部に表示させるようにしてもよい。
【０１４５】
また、上記では過去に撮影した関連する放射線画像のデータを、コンソール２６経由でＲＩＳサーバ１４から取得する態様を説明したが、これに限定されるものではなく、過去に撮影した放射線画像のデータを電子カセッテ２２の画像メモリ１０４に記憶しておき、放射線画像の撮影を行う際に、画像メモリ１０４に記憶されている放射線画像のデータの中から関連する放射線画像のデータを検索・抽出して表示部に表示させるようにしてもよい。
【０１４６】
また、過去に撮影した関連する放射線画像を表示部１２０等に表示させることは必須の処理ではなく、撮影者が指示した場合にのみ上記放射線画像を表示部１２０に表示させるようにしてもよいし、上記放射線画像を表示部１２０等に表示させる機能を省略し、今回撮影した放射線画像のみを表示部１２０に表示させるようにしてもよい。
【図面の簡単な説明】
【０１４７】
【図１】本実施形態に係る放射線情報システムの概略構成を示すブロック図である。
【図２】放射線画像撮影システムの概略構成を示すブロック図である。
【図３】撮影室内における放射線発生装置や電子カセッテの配置の一例を示す概略図である。
【図４】第１実施形態に係る電子カセッテの内部構造を示す斜視図である。
【図５】第１実施形態に係る電子カセッテの内部構造を示す側面図である。
【図６】第１実施形態に係る電子カセッテの表示部の収納・展開を示す斜視図である。
【図７】電子カセッテのカセッテ制御部で行われる情報表示処理の内容の一例を示すフローチャートである。
【図８】第１実施形態に係る表示部にＲＩＳ情報表示・修正画面を表示した表示形態の一例を示す斜視図である。
【図９】第１実施形態に係る表示部に放射線画像を表示した表示形態の一例を示す斜視図である。
【図１０】第２実施形態に係る電子カセッテの表示部の収納・展開を示す斜視図である。
【図１１】第３実施形態に係る電子カセッテの表示部の収納・展開を示す斜視図である。
【図１２】第４実施形態に係る電子カセッテの表示部の収納・展開を示す斜視図である。
【図１３】第４実施形態に係る電子カセッテの表示部を筐体に外付けした態様における表示部の収納・展開を示す斜視図である。
【図１４】第５実施形態に係る電子カセッテの表示部の収納・展開を示す斜視図である。
【図１５】第５実施形態に係る電子カセッテにおいて、展開している状態での表示部の回動を示す平面図である。
【図１６】第６実施形態に係る電子カセッテの表示部の収納・展開を示す斜視図である。
【図１７】(Ａ)は第７実施形態に係る電子カセッテ、(Ｂ)は投影部によって画像が投影表示された状態を各々示す斜視図である。
【符号の説明】
【０１４８】
１０  放射線情報システム
１８  放射線画像撮影システム
２０  放射線発生装置
２２  電子カセッテ
２６  コンソール
７０  筐体
７２  被照射面
７６  放射線検出器
１００  ゲート線ドライバ
１０２  信号処理部
１０４  画像メモリ
１０６  カセッテ制御部
１０８  入力部
１１０  引出センサ
１２０  表示部
１３４  表示部
１４０  表示部
１４６  表示部
１６０  表示部
１９０  表示部
２００  表示部
２２０  投影デバイス
【図１】
2010051559.tif 000003
【図２】
2010051559.tif 000004
【図３】
2010051559.tif 000005
【図４】
2010051559.tif 000006
【図５】
2010051559.tif 000007
【図６】
2010051559.tif 000008
【図７】
2010051559.tif 000009
【図８】
2010051559.tif 000010
【図９】
2010051559.tif 000011
【図１０】
2010051559.tif 000012
【図１１】
2010051559.tif 000013
【図１２】
2010051559.tif 000014
【図１３】
2010051559.tif 000015
【図１４】
2010051559.tif 000016
【図１５】
2010051559.tif 000017
【図１６】
2010051559.tif 000018
【図１７】
2010051559.tif 000019